Podtech/llm-jp-corpus-v4-ja_patent huggingface dataset:
(57)【要約】【課題】サッカーのプレイ中、従来のストッキングでは、脛あてがずれることが多くあり、又相手に足や脛あてをけられたときに激痛があり怪我の原因となっていた。  本発明は、プレー中に足を保護し、脛あてのずれも防止するサッカー用のアンダーソックスを提供する。【解決手段】サッカー用のアンダーソックスの脛部ふくらはぎ部及びアキレス腱から両くるぶし部に衝撃吸収パッドを設け、脛部の衝撃吸収パッドの上面に脛あて固定用構造体（ポケット・ゴムベルト・ベルト）を設ける。【選択図】図１
2010174428.tif 000002
【特許請求の範囲】
【請求項１】
サッカー用のアンダーソックスの前側部と後側部に怪我の痛みを軽減出来る衝撃吸収パッドを設けたことを特徴とするアンダーソックス。
【発明の詳細な説明】
【技術分野】
【０００１】  この発明は衝撃吸収パッドと脛あて収納ポケットをつけたアンダーソックスに関するものである。
【背景技術】
【０００２】  従来、サッカーをプレーする際、ストッキングを履き、脛部に脛あてをさし入れて、脛を守る方法がとられていた。
【発明の開示】
【発明が解決しようとする課題】
【０００３】  サッカーのプレー中に、従来のストッキングでは脛あてを固定する機能がなく激しい動きの中でずれることが多くあった。又、相手から足をけられる事も多く、特に脛あてをけられると脛あての下が非常に痛むことから本発明は、以上の様な欠点を解決する為になされたものである。
【課題を解決するための手段】
【０００４】  アンダーソックスの脛部、ふくらはぎ部及び、アキレス腱から、両くるぶし部に衝撃吸収パッドを設けたものであり、更に脛部の衝撃吸収パッドの上に脛あて固定のポケット・ゴムベルト・ベルト等を設けることも可能である。以上のような構成よりなるものである。
【発明の効果】
【０００５】  脛あてが固定出来るのでさしつかえなくプレーすることが可能になり、又衝撃吸収パッドを付与することにより、痛みや怪我を軽減出来る。
【発明を実施するための最良の形態】
【０００６】  以下、本発明の実施の形態を説明する。
▲１▼アンダーソックスの前面（脛部）・後面（ふくらはぎ部及びアキレス腱から両くるぶし部にかけて）に衝撃吸収性のある薄めのパッドを設ける。
▲２▼前面（脛部）に衝撃吸収パッドを設け、その上面に脛あて固定用のポケット・ゴムベルト・ベルト等の構造体をもうけることも出来る。また、必要であれば後面の衝撃吸収パッドにふくらはぎガードも同様に設けることも出来る。
▲３▼アンダーソックス部の先端は足指を覆わず、足先の微妙な感覚を損なわず、又蒸れも防ぐトゥーレスタイプを基本とするが、冬用として足指まで覆うもの、またアキレス腱とくるぶし部から膝下部までのタイプもあることとする。
【図面の簡単な説明】
【０００７】
【図１】本発明の側面図
【図２】本発明の前面図
【符号の説明】
【０００８】（１）衝撃吸収パッド
（２）衝撃吸収パッド
（３）衝撃吸収パッド
（４）脛あて固定用構造体
（５）アンダーソックス
【図１】
2010174428.tif 000003
【図２】
2010174428.tif 000004
(57)【要約】【課題】植物を容器で栽培するとき、根の生育を良くするのが仲々難しい。根を良く生長させ、植物自体の生育を良くすることが課題である。【解決手段】植物栽培容器を上部が密着した二重構造にし、内外二容器の間に湿気を含んだ空気の層を作る。外側の容器の側面には下方に穴があるだけで底には穴がないので水が溜まる。内側の容器の側面には穴が開いているので、二容器間の湿気を含んだ空気は内側の容器の中を通るようにして問題を解決した。【選択図】  なし【特許請求の範囲】
【請求項１】
植物栽培用容器を上部が密着した二重構造にし、外側の容器には下方に空気や水が抜ける穴を開け、底には穴を開けない。内側の容器には側面と底に複数の穴を開けた植物栽培用容器の二重構造方法
【発明の詳細な説明】
【技術分野】
【０００１】
本発明は、栽培容器を二重とし、外側の容器は下方に水や空気が抜ける穴を開け、底に穴は無い。内側の容器には側面と底に複数の穴を開ける。また、両容器の上端は密着するようにして、両容器間の空気は内側の容器の穴から内側の容器の中を通って抜けるようにしたものである。
【先行技術文献】
【特許文献】
【０００２】
なし
【非特許文献】
【０００３】
なし
【発明の概要】
【発明が解決しようとする課題】
【０００４】
植物栽培容器は底に水抜き用の穴が開いているだけの物が多い。これは容器内が過湿になりやすい。蘭の栽培容器には容器の側面に穴が開いているものがあるが、これは過乾燥になりやすい。また、栽培容器を他の化粧用の容器にそのまま入れた物がある。これは上端が開放になっているので二つの容器間の空気はそのまま抜けてしまう。これらのことを解決するのが課題である。
【課題を解決するための手段】
【０００５】
本発明は、二重にした二容器の上方を密着させ、二容器間に空気の層を作る。外側の容器には下方に穴があるだけで、底に穴は無い。内側の容器には側面と底面に植え込み材料が漏れない程度の大きさの多くの穴を開ける。また、外側容器の穴の高さは内側容器の底より低くすることにより解決した。
【発明の効果】
【０００６】
本発明は、上方が密着しているので両容器間に空気の層が出来る。これは保湿作用、温度変化の緩衝作用がある。外側の容器の側面には下方に穴があるだけだし、内側の容器の側面に穴が開いているので二容器間の空気はそこから内側容器の中へ入り、水分の補給や空気の補給がある。それは植物の生育にとても大事なことである。つまり、根の状態が良くなるとその植物の生育が良くなるのである。外側から日光が当たって容器の温度が上がったとき、通常は容器内が蒸れて根痛みが起こる。しかし、二重になっていると中の容器には直接日光が当たらないので根痛みは起こらない。外気温が下がったときも二容器間の空気が緩衝作用し、植物の根を守ってくれる。このような効果がある。
【産業上の利用可能性】
【０００７】
植物の安全な栽培に利用する。特に蘭類の栽培には効果が大きい。
(57)【要約】      （修正有）【課題】園芸を楽しむには、広いスペース、必要以上の材料、植物の管理、園芸道具の保管場所など、手間、場所、多額の費用が掛かり過ぎていた。【解決手段】容器（ａ）に、固型肥料（ｂ）、と植物の種子（ｃ）、を入れ、液体肥料又は水（ｄ）を入れる。数日後、液体肥料又は水（ｄ）、を補充する。体の不自由な障害者、室内外や小さなスペースでも手軽に運べ、使用後は、１００％生分解性素材を使用している為リサイクルとして土に埋めるか、可燃物としてゴミ処理ができる。手間や多額の費用を掛けずに誰でも何処でも園芸を楽しめる事を特徴とする。【選択図】図１
2010213677.tif 000002
【特許請求の範囲】
【請求項１】
植物栽培に必要な栄養素［以下、肥料と言う］を、手間をかけず、手軽に取り扱える様に肥料を固型にしコンパクトに植物の種子、容器、固型肥料を１つにパックした事を特徴とする。
【請求項２】
容器の下に水を入れ固型肥料が水を上に吸い上げ、容器の下に水が溜まらない事を特長とする。
【発明の詳細な説明】
【技術分野】
【０００１】  この発明は、植物栽培に必要な栄養素［以下、肥料と言う］を場所を取らず、手間をかけず、手軽に園芸を楽しめる様に肥料を固型にしコンパクトに植物の種子、容器、固型肥料を１つにパックにした、コンパックに関するものである。
【技術背景】
【０００２】  従来、園芸には、鉢、石、土、腐葉土、堆肥、肥料、防虫剤、土壌安定剤、など個別に揃えなければならなかった。
【発明の開示】
【発明が解決しようとする課題】
【０００３】  今まで、次のような問題点があった。
これまで、園芸材料は、個別に揃えなければならなかた。個別に揃えると、材料の保管場所、必要以上の材料の多過ぎ、園芸道具、水やり、草取り、防虫剤の散布、など手間、場所、多額の費用が掛かり過ぎていた。
本発明は、以上の問題を解決する為に発明されたものである。
【課題を解決するための手段】
【０００４】  個別に揃えなければならなかった肥料を固型にし、コンパクトに植物の種子、容器、固型肥料を１つにパックし、まとめる。
通常水やりは、上から掛け、底の穴から出た水を受け皿で受けるが、本発明は、底穴の無い容器の中に水を補充し、固型肥料が水を吸い上げる為、水が溜まる事無く、植物の水腐れ、悪臭、雑菌の繁殖を出さない。
【発明の効果】
【０００５】  園芸を楽しむ為の畑や庭の無い、団地、マンション、アパート、などは、バルコニーで楽しむしかないが、バルコニーも災害時の避難通路となる為、園芸を楽しむスペースが狭く限られている。
室内や小さなスペースで園芸を楽しむ為には、コンパクトにパックしまとめなければならない。
肥料を固型にしコンパクトに植物の種子、容器、固型肥料を１つにパックしたコンパックなら体の不自由な障害者でも手軽に運べ、１００％生分解性素材を使用している為リサイクルとして土に埋めるか、可燃物としてゴミ処理できる。
固型肥料が水分を吸い上げ容器の中に水が溜まらないので水腐れ、悪臭、雑菌の繁殖を出さない手間や必要以上の材料の買い過ぎ、園芸道具の保管場所など、多額な費用を掛けずに誰でも何処でも園芸が楽しめる。
【発明を実施する為の最良の形態】
【０００６】  以下、本発明の実施例について説明する。
容器（ａ）に、固型肥料（ｂ）と植物の種子（ｃ）を入れ液体肥料又は、水（ｄ）を入れる。
【図面の簡単な説明】
【０００７】
【図１】  本発明の断面図と実施例である。
【符号の説明】
【０００８】（ａ）容器
（ｂ）固型肥料
（ｃ）植物の種子
（ｄ）液体肥料又は水
（ｅ）液体肥料又は水の循環
（ｆ）植物の発芽
【図１】
2010213677.tif 000003
(57)【要約】【課題】  タラの芽の一般的な採取方法は、タラの木の頂部から発芽し成長を始めた若芽を人の手により折り採る。  タラの木は樹齢を重ねると、発芽するタラの芽は太く肉厚で、山菜として良質なものになる一方、樹高が高くなり、人の手が届かないために採取が困難になる。  このような高所のタラの芽を採るために、鉈や鋸で幹を切断されるものが多く、これらは再び発芽することがなく枯死に至り、タラの木資源が失われる。【解決手段】  本発明は、高所のタラの芽を採取するために、棒状の柄の先に本タラの芽採り器をとりつけたものである。  本タラの芽採り器は、手元で操作ひも７を引くことにより、タラの芽を横から掴んだはさみ１を縦方向（手前）に回転させて、タラの芽を折り採るものであり、タラの木の幹を傷つけずに、タラの木資源を維持しながら高所のタラの芽を採取できる。【選択図】図１
2010213676.tif 000002
【特許請求の範囲】
【請求項１】
高所のタラの芽を横から掴んだはさみ（１）を縦方向（手前）に回転させて、タラの芽を折り採る構造において、回転軸パイプ（５）とはさみ（１）を連結固定し、回転軸パイプ（５）の回転により、はさみ（１）を同時に回転させる構造の高所タラの芽採り器。
【請求項２】
操作ひも（７）を引いてはさみロックを解除する際に、はさみロック金具（３）にひねる力が働き、弱い力でロックがはずれるようにした、Ｌ字型に曲げたはさみロック金具（３）を有する請求項１の高所タラの芽採り器。
【請求項３】
回転軸パイプ（５）を回転軸受（９）に押し込んで、はさみ（１）の回転運動にブレーキをかけるために、回転軸パイプ（５）の一部の外径を円錐状に少し大きくした回転軸パイプ外径拡大部分（１０）を有する請求項１の高所タラの芽採り器。
【請求項４】
はさみロックを解除してタラの芽を掴む動作と、タラの芽を折るためのはさみ（１）を回転させる動作を、一本のひもを二段階に引くことにより行うために、操作ひもストッパー（８）を備えた操作ひも（７）を有する請求項１の高所タラの芽採り器。
【発明の詳細な説明】
【技術分野】
【０００１】  本発明はタラの芽やコシアブラの芽など、高所で人の手が届かない木の芽を採取するための、高所タラの芽採り器に関する。
【背景技術】
【０００２】  従来の技術には、下方から果実を握持し捻り採る採果具（特許文献１）（非特許文献３）、下方から鋏により切り採る高枝用長尺鋏（特許文献２）、斜め下方からカッターにより切り採る高木用果実、山菜採取具（非特許文献４）などがある。【０００３】
【特許文献１】  実開平６−０２３４１８号公報
【特許文献２】  実開昭５５−０６３６４１号公報
【非特許文献３】  特開平１４−１８６３３２号公報
【非特許文献４】  特開平１５−１６９５２５号公報
【発明の開示】
【発明が解決しようとする課題】
【０００４】  タラの芽の一般的な採取方法は、タラの木から発芽し成長を始めた若芽を、人の手で折り採るのであるが、タラの木は樹齢を重ねると、発芽するタラの芽は太く肉厚で山菜として良質なものになる一方、樹高が高くなり、人の手が届かないために採取が困難になる。【０００５】  タラの芽はタラの木の頂部から上に向かって成長するため、従来の採果具等では、高所のタラの芽を横から掴むことができず、採取することも容易ではない。【０００６】  また、タラの芽採取のために幹を切断されると、タラの木は再び発芽することがなく枯死してしまう。【０００７】  本発明は、タラの木の幹を傷めずにタラの芽だけを折り採ることにより、タラの木資源を維持しながら、高所のタラの芽の採取を容易にするものである。
【課題を解決するための手段】
【０００８】  本発明は、高所のタラの芽を採取するために、棒状の柄１１の先に本高所タラの芽採り器をとりつけたものであり、本高所タラの芽採り器は、手元で操作ひも７を引くことにより、タラの芽を横から掴んだはさみ１を縦方向（手前）に回転させて、タラの芽を折り採るものである。
【発明の効果】
【０００９】  高所のタラの芽を横から掴み、さらに、はさみ１を縦方向（手前）に回転させてタラの芽を折り採るので、伸縮自在の柄１１を装着することにより、多様な高さのタラの芽を採取できる。【００１０】  この方法によると幹を傷つけないので、タラの芽を採取されたタラの木は、数日後には頂部の脇に控えている腋芽が成長を始め、枯れることはなく、タラの木資源は維持される。
【発明を実施するための最良の形態】
【００１１】  以下、本発明の実施の形態を図１、図２に基づいて説明する。
【実施例】
【００１２】  操作する人とタラの芽の位置関係により、はさみ１をタラの芽を横から挟める角度に向け、回転軸パイプ５を回転軸受９に押し込むことにより、はさみ１の回転運動にブレーキをかける。【００１３】  はさみロック金具３をはさみロックくぼみ４に掛けて、はさみ１を開いた状態にロックする。（図１）【００１４】  タラの芽に向けて本高所タラの芽採り器を差し延べ、開いたはさみ１でタラの芽を抱える。【００１５】  操作ひも７を引くことにより、はさみロックがはずれ、バネ２の力によりはさみ１がタラの芽を掴む。【００１６】  さらに操作ひも７を引くと、操作ひもストッパー８により回転レバー６を引くことになり、はさみ１が縦方向（手前）に回転しタラの芽が折れる。（図２）
折ったタラの芽は、手元に引き寄せて取り込む。
【産業上の利用可能性】
【００１７】  人の手が届かない高所のタラの芽を採取できるほか、持ち運びが容易であり、傾斜地や、樹木や雑草が生い茂る山林、原野においても使用できる。【００１８】  タラの木の幹を傷つけずにタラの芽だけを採取するので、タラの木を枯死させることがなく、タラの木資源を維持しながら、タラの芽を収穫することができる。【００１９】  また、折り採ったタラの芽は落とさないので、手元への取り込みが容易である。
【図面の簡単な説明】
【００２０】
【図１】  はさみを開きロックした状態の高所タラの芽採り器斜視図
【図２】  操作ひもを引き、はさみの回転によりタラの芽を折った状態の斜視図
【図３】  回転軸パイプ外径拡大部分の拡大図
【符号の説明】
【００２１】  １    はさみ
３    はさみロック金具
５    回転軸パイプ
７    操作ひも
８    操作ひもストッパー
９    回転軸受
１０    回転軸パイプ外径拡大部分
【図１】
2010213676.tif 000003
【図２】
2010213676.tif 000004
【図３】
2010213676.tif 000005
(57)【要約】【課題】  花や野菜の苗物を畑や花壇に移植すると、様々な害虫が食害するため、これまでは、農薬散布や地上の防虫カバーなどに頼ってきたが、健康に悪いなど不具合が多かった。  本発明は、花や野菜の苗物を、害虫に食害されないように、地面の上と下の両方で防虫して守る、苗物の地上・地下防虫カバーを提供する。【解決手段】  生分解樹脂製の網袋の開口部縁に板枠を設け、板枠の先端にふたを設ける。【選択図】図１
2010213680.tif 000002
【特許請求の範囲】
【請求項１】
網袋の開口部縁に板枠を設けたことを特徴とする苗物の地上・地下防虫カバー。
【請求項２】
板枠の先端にふたを設けた請求項１の苗物の地上・地下防虫カバー。
【請求項３】
網袋の素材を生分解樹脂にした請求項１または請求項２の苗物の地上・地下防虫カバー。
【発明の詳細な説明】
【技術分野】
【０００１】  本発明は、花や野菜の苗物を、害虫に食害されないように、地面の上と下の両方で防虫して守る、苗物の地上・地下防虫カバーに関するものである。
【背景技術】
【０００２】  花や野菜の苗物を畑や花壇に移植すると、青虫や夜盗虫など様々な害虫が苗物を食害する。苗物が大きくなればある程度害虫にも強くなるが、苗物が小さいうちは一晩で害虫に食害され枯らしてしまうことも多かった。従来は、このような害虫による食害を防ぐために農薬の散布をしていた。また、農薬に頼らずに、苗物に付いた害虫を直接手で捕獲したり、防虫ネットやドーム状のポットカバーを苗物の上にかぶせるやり方があった。
【発明の概要】
【発明が解決しようとする課題】
【０００３】  そのために、次のような問題点があった。
（イ）苗物が害虫に食害されると、枯れたり、定植の適期をのがしたり、収穫が遅れるなどの被害が出る。
（ロ）農薬を散布すると人間の健康に悪い影響がある。
（ハ）苗物に付いた害虫を直接手で捕獲するのは、手間も時間もかかり、効率が悪い。
（ニ）防虫ネットやポットカバーを苗物の上にかぶせるやり方では、地中から来る害虫まで防ぐことができない。
本発明は、以上の問題点を解決しようとするものである。
【課題を解決するための手段】
【０００４】  網袋の開口部縁に板枠を設け、板枠の先端にふたを設ける。網袋の素材を生分解樹脂にする。以上を特徴とする苗物の地上・地下防虫カバーである。
【発明の効果】
【０００５】  本発明には、以下の効果がある。
（イ）網袋と板枠で、苗物を地面の上と下の両方で防虫することができる。
（ロ）生分解樹脂には抗菌・防虫効果があり、本発明の防虫性をより高めることができ、苗物の根が伸びて大きくなる頃には、地中でもろくなり自然に分解していくので、苗の生長を妨げない。
（ハ）農薬を散布しないので、人間の健康に悪い影響がない。
（ニ）苗物に付いた害虫を直接手で捕獲するなどの、手間のかかる作業がなく効率がよい。
【発明を実施するための最良の形態】
【０００６】  以下、本発明の実施の形態を説明する。
（イ）細かい網目の生分解樹脂製の網袋（４）の網袋開口部縁（９）に沿って、透明または半透明な合成樹脂製の板状の板枠（３）を設ける。
（ロ）板枠（３）の板枠開口部縁（７）の一カ所とふた（２）を接合させて接合部（８）とし、開閉式の円形のふた（２）を設け、板枠（３）と同じ材質とする。
（ハ）ふた（２）に複数の小さい通気孔（５）を設ける。
（ニ）ふた（２）の接合部（８）と反対の端に、先端が丸い細長い突起（１５）を設ける。
（ホ）ふた（２）を閉じて突起（１５）が本体（１）に差し込めるよう、本体（１）上部に切り込み（１６）をいれる。
本発明の構成は、以上の構成よりなっている。
本発明を使用するときは、以下のようにする。
（イ）苗物（１４）の根周りの土より少し大きめに掘った穴に網袋（４）を入れて広げ、境界線（１１）まで地中（１３）に入るようにする。
（ロ）網袋（４）の中に消毒済み培養土（１０）を入れて苗物（１４）を植え、境界線（１１）の位置で、網袋（４）の中と外の土が同じ高さになるように整える。
（ハ）ふた（２）の突起（１５）を本体（１）の切れ込み（１６）に差し込んで、ふた（２）を閉める。
（ニ）本発明で、消毒済み培養土（１０）ごと苗物（１４）全体を囲うので、地上・地下の両方で防虫でき、保温・防寒にもなる。
（ホ）網袋（４）は細かい網目なので、水はけもよく酸素もよく通し苗物（１４）の根の成長を妨げない。
（ヘ）苗物（１４）の根はしばらくの間、消毒済み培養土（１０）の中だけで生育し、網袋（４）の網目を超えて成長する頃には、大きく丈夫になって害虫の食害で壊滅的な被害を負うことも少なくなる。網袋（４）も、苗物（１４）の成長に比例して徐々に分解していく。
（ト）板枠（３）とふた（２）は透明または半透明なので、太陽光をよく通し成長によい。ふた（２）の通気孔（５）で換気をし、内部が蒸れない。
【実施例１】
【０００７】  本発明のふた（２）をとって、本体（１）のみの構造にする。板枠（３）の高さは、目的に応じて短く切って使用できる。（図２参照）
【実施例２】
【０００８】  本発明の材質全体に、より防虫効果を高めるために、木酢液をしみこませる。製品に加工する前の段階で材料にしみこませたり、製品に加工した後で付着させてもよい。
【実施例３】
【０００９】  本発明の寸法を、次のようにする。網袋（４）の厚みは０．０２ｍｍ、深さは３０ｃｍ、網袋開口部縁（９）の周囲の長さは８０ｃｍである。板枠（３）の厚みは０．５ｍｍ、高さは３０ｃｍ、ふた（２）の厚みは０．５ｍｍである。
【実施例４】
【００１０】  本発明の網袋（４）の素材を、不織布の伸縮性の網にする。
【実施例５】
【００１１】  本発明の網袋（４）の素材を、薄く細かい穴あき袋にする。
【図面の簡単な説明】
【００１２】
【図１】本発明の使用状態を示す斜視図
【図２】本発明の実施例１の使用状態を示す斜視図
【図３】本発明の斜視図
【符号の説明】
【００１３】    １    本体
２    ふた
３    板枠
４    網袋
５    通気孔
６    開口部
７    板棒開口部縁
８    接合部
９    網袋開口部縁
１０  消毒済み培養土
１１  境界線
１２  地表
１３  地中
１４  苗物
１５  突起
１６  切れ込み
【図１】
2010213680.tif 000003
【図２】
2010213680.tif 000004
【図３】
2010213680.tif 000005
(57)【要約】【課題】従来の衣付けは小麦粉、卵、パン粉などの衣用材料をそれぞれの容器に用意し、具材を各衣用材料に交互に塗していく必要があり非常に手間がかかるものであった。その上、衣用材料が手や箸などにダマになって付着し周りを汚してしまうことや、衣用材料の分量調節が難しく余りが廃棄処分されること、洗浄する容器が増えることなど、無駄や面倒な事が多かった。また、従来の簡単に衣付けできる技術を使用すると、フライ食品本来の食感と味が損なわれ、かつ、上記のいくつかの問題点は解決できなかった。【解決手段】すでに成形された、貼り付け面をもつシート状の衣を提供することで、具材に貼るだけで衣付けが出来ようにする。また、貼り付け面はより粘着しやすいように、温度変化で流動性を持つような性質にする。このようにすることで、問題点の原因発生を無くし課題を解決する。【選択図】図１
2010213681.tif 000002
【特許請求の範囲】
【請求項１】
粘着性があり、具材に貼るだけで衣付けができるシート状のフライ衣。
【請求項２】
粘着部分に温度変化で流動性が生まれる性質を持たせた請求項１記載のシート状衣。
【発明の詳細な説明】
【技術分野】
【０００１】  本発明は具材に貼るだけで衣付けできるシート状のフライ衣に関する。
【背景技術】
【０００２】  衣付けの手間を簡易にするための従来の技術は、バッター、ブレッダー等の材料をミックスして単一にし、具材に一度塗すだけにしたもの（特許文献１参照）や、付着し易いように加工したパン粉を直接具材に塗すもの（特許文献２参照）が提案されている。【０００３】  しかし、衣付け作業を簡略化させるために、主に各材料の機能に着目して開発されたものが多く、フライ食品が本来持っていた食感と味が失われていた。また、塗しに使う容器を完全に不要にするまでには至らず、いくつかの手間を残すことになっていた。
【先行技術文献】
【特許文献】
【０００４】
【特許文献１】特開昭５５−１５０８７０号  公報
【特許文献２】特開平１１−３４６６９３号  公報
【発明の概要】
【発明が解決しようとする課題】
【０００５】  従来の衣付けでは、小麦粉、卵、及びパン粉等（以下、衣用材料と記載）を個別に用意し、具材へ付着させるために交互に塗していく作業が必要であった。【０００６】  衣付けは、液状のものと粉末とを交互に塗すため、衣用材料がダマになって手や箸などに付着してしまい、周りを汚したり、不必要ところに付着したりすることを防ぐには、頻繁に水などで洗い流さなくてはならなかった。【０００７】  また、用意した衣用材料を入れるための容器がそれぞれに必要であり、作業終了後、その容器の洗浄も必要であった。【０００８】  仮に、背景技術に記載の揚げ衣ミックスや直接具材に塗せるパン粉等従来の技術を使用した場合でも、塗しに使う容器は必要であり、準備作業や容器に関する問題、ダマになって付着する問題は依然として解決できなかった。最も重要なことは、それらの衣材では本来フライ食品が持つ食感と味が失われてしまうということである。【０００９】  さらに、一回の調理に必要な量を把握することが難しく、材料を使いきらずに廃棄されることが多かった。本発明はこれらの問題を解決することを目的とする。
【課題を解決するための手段】
【００１０】  本発明は上記目的を達成するために、粘着性のあるバッター（以下、下地材と記載）を薄く延ばし、その片面にパン粉を塗した、貼り付け面を持つシート状の衣を提供することで、具材に貼るだけで衣付けできるようにした。【００１１】  また、上記の下地材に強い粘着性を持たせ、その上、歪な形の具材にも容易に貼り付けできる性質を実現するために、ゲル化等、温度の変化で流動性を持つような性質を利用する。【００１２】  具体的には、常温で固化したゲルの状態を保持し、人肌程度の温度で流動性を持つようにすることや、冷凍又は冷蔵下で固化の状態を保持し、室温で溶解する性質にする等があげられる。（方法は限定するものではなく、温度変化で流動性を持つことが趣旨である）このような性質を持たせる事で下地材はより具材に貼り付き易くなる。
【発明の効果】
【００１３】  衣はすでに成形されており、具材に貼るだけで衣付けできるので、小麦粉、卵、パン粉等の衣用材料を個別に用意しそれぞれに交互に塗す必要がなくなった。つまり、具材に本発明によるシート状の衣を貼る意外の作業は不要になった。【００１４】  衣用材料が手や箸にダマになって付着したり、それらが不必要な場所へ付着したりすることが無くなるため、キッチン等を汚すことがなく清掃作業の手間が減った。【００１５】  シート状になっているので必要な量が明確であり、何より衣用材料を用意しなくてよいため、材料の余り及び廃棄がほとんど無くなった。【００１６】  衣用材料を入れる容器が不要となり、洗浄する手間もなくなった。【００１７】  基本的には従来の衣付けと同等な材料の構成にできるので、フライ食品が持つ本来の食感を失う事がなく、味も従来の衣付けと同様のものが得られた。しかも、下地材の水分がパン粉にしみ込みにくく、揚げた直後のサクサク感が持続する特徴も得られた。
【図面の簡単な説明】
【００１８】
【図１】本発明によるシート状衣の外観図
【図２】図１におけるＡ−Ａ線断面図
【発明を実施するための形態】
【００１９】  以下本発明について実施例をあげて具体的に説明するが本発明はこれらによって何等限定されるものではない。
【実施例】
【００２０】  本例では、下地剤に粘着性及び温度変化での流動性を持たせるためにゼラチンによるゲル化を利用する。【００２１】  ゼラチンを熱水で均一な溶液にし、若干放冷して、小麦粉に加えかき混ぜる。さらに、それを、かき混ぜた卵と合わせる。【００２２】  上記を低温（約１０度以下）に保ち粘性が出てきたところで、薄いフィルム等にシート状に敷き下地材とする。この下地材が具材との接着面となる。【００２３】  シート状に敷いた下地材の上からパン粉を塗し付着させ、再び低温に保ち下地材を固化させる。【００２４】  使用する際は、シート状に成形されている衣を具材の大きさに合う程度に切り、フィルムから外して具材全体を覆うように貼り付ける。付き具合が悪い時は、衣の上から手で覆い表面を温めると流動性がでて良く貼りつく。
【符号の説明】
【００２５】  １  下地材に付着したパン粉の層
２  粘着性を持つ下地材の層
３  フィルム
４  パン粉の層の断面
５  下地材の層の断面
６  フィルム断面
【図１】
2010213681.tif 000003
【図２】
2010213681.tif 000004
(57)【要約】【課題】本願発明では、現在のところ飼料としての利用に留まる再生稲を一般食に利用し得るべく食味向上を図ることを課題とする。【解決手段】本願発明は、肥料分と竹炭を施すことで竹炭の含有する天然のミネラル成分が水に溶出し易い特性を利用して、圃場に溶出したミネラル成分を養分として成長することで再生稲の食味向上がなされることに加えて、特願２００８−２１２７４８の請求項２に記載する天日乾燥施設で自然乾燥することによって、稲に含まれる養分が未熟籾を熟させ更なる食味向上を図るものである。【選択図】図１
2010213630.tif 000002
【特許請求の範囲】
【請求項１】
稲の刈り取られた圃場に肥料分と竹炭を施すことで、該圃場に溶出した竹炭の含有する天然のミネラル成分を養分として成長することによって、再生稲の食味向上を図ることを特徴とする育成方法。
【請求項２】
前記請求項１に記載する再生稲を、特願２００８−２１２７４８の請求項２に記載する天日乾燥施設を利用して自然乾燥することで更なる食味向上を図ることを特徴とする再生稲の食味向上方法。
【発明の詳細な説明】
【技術分野】
【０００１】
本願発明は、本作栽培の行われた株から再び伸びてくる再生稲の食味向上方法に関する。
【背景技術】
【０００２】
高知県では、刈取後の圃場に尿素を施し水管理することで再生稲を育て乳牛の飼料に使う試みが去年から一部の地域で行われているが、１０月以降の最適な収穫時期にも関わらず、本作稲と同等やそれ以上に食味向上を図る試みが行われることはなかった。
【先行技術文献】
【非特許文献】
【０００３】
【非特許文献１】高知県中央西農業振興センター農業改良普及所が栽培技術を中心に支援を行っている高知市介良の認定農業者グループ代表中島正根氏の取り組み。
【発明の概要】
【発明が解決しようとする課題】
【０００４】
本願発明では、現在のところ飼料としての利用に留まる再生稲を一般食に利用し得るべく食味向上を図ることを課題とする。
【課題を解決するための手段】
【０００５】
本願発明は、肥料分と竹炭を施すことで竹炭の含有する天然のミネラル成分が水に溶出し易い特性を利用して、再生稲が圃場に溶出したミネラル成分を養分として成長することで食味向上がなされることに加えて、特願２００８−２１２７４８の請求項２に記載する天日乾燥施設で自然乾燥することによって、稲に含まれる養分が未熟籾を熟させ更なる食味向上を図るものである。
【発明の効果】
【０００６】
竹炭を圃場に施すことで竹炭需要の促進に寄与する。ひいては、竹炭に関わる産業の育成を図るものである。
【図面の簡単な説明】
【０００７】
【図１】図１は、本作稲の刈り取られた後の圃場に肥料分と竹炭を施すことを示す構造図である。
【発明を実施するための形態】
【０００８】
再生稲を育成する目的で肥料分を施すことは先行技術で用いられている。また、天日乾燥施設については、特願２００８−２１２７４８の請求項２及び明細書に記載するため、本願発明の特徴とする竹炭の利用方法について記載するものである。
【０００９】
本願発明は、本作稲の刈取後の圃場に竹炭を施すことで竹炭が含有する天然のミネラル成分を耕作土に溶出させることや圃場内の水に溶出したミネラル成分により、再生稲の食味向上を即すものである。
【００１０】
更に竹炭の用い方は、竹炭を粉末にして肥料分と混合散布することや水を加えて混合散布する方法及び粉砕された竹炭と肥料分を混合し施す方法など特に限定されるものではない。
【００１１】
その理由としては、竹炭に含有するミネラル成分が水に溶出し易い特性を有することを主要因とするものである。また、動力噴霧機や散布機などの利用においても限定されない。
【００１２】
更に化学肥料と異なり天然のミネラル成分を施すものであるため施量についても特に限定されないものである。また、再生稲の栽培は除草剤や害虫駆除用の農薬は不要であるため、本願発明に記載する竹炭に類する黒色炭素質粉末を利用して太陽光を遮断し雑草発生抑制材として機能させることを目的とする特開２０００−３２７５０１やそれに類する特許文献に記載されるものとは、利用方法や用途など異質のものである。
【００１３】
それでは、請求項１に記載する実施例について図１を参照し以下に記載する。
実施例１
【００１４】
本作の稲が刈り取られた直後の圃場１に肥料分４と竹炭５を混合し施すことで、圃場１に溶出した肥料分４と竹炭５の図示されない成分を根３が吸収し養分として、刈り取られた稲の株２から芽立ち食味向上がなされた再生稲を育成するものである。
【００１５】
また、先にも記載するとおり、竹炭の含有するミネラル成分は圃場内の図示されない水に溶出し易いため、ミネラル成分を含んだ図示されない圃場内の水の効果は食味向上に多大な影響を与えるものである。
【００１６】
既成栽培では、図示されない尿素のみを圃場１に与えた後は、圃場１の水を管理するのみであるため収量の増加と稲の丈が７０センチ程度に成長するものの食味向上がなされないため飼料としての利用に留まるものである。
【００１７】
それでは、本願発明の特徴とする食味向上を更に図る請求項２について以下に記載する。
実施例２
【００１８】
それは、特願２００８−２１２７４８の請求項２に記載する天日乾燥施設を利用して自然乾燥することである。
天日乾燥施設については、先の出願文献に記載するためここでは食味向上がなされる理由について以下に記載する。
【００１９】
稲の刈り取りは、本作や再生稲に限らず８分程度に熟したものが刈り取られることが通例である。
その理由は、稲に限らず１本の木に実ったものが一斉に熟すことはあり得ないという特性を加味したものであって、熟れの遅い籾を含めたすべての籾が完熟することは熟れ過ぎる籾が大量に発生することを意味することである。また、熟れ過ぎた米は食味が異常に劣化することにある。
【００２０】
つまり、２分の完熟しない籾を完熟するまで待つことは、８分の籾が熟れ過ぎることを意味し商品価値を無くすことなのである。
【００２１】
但し、現在栽培されている稲の刈り取りの大部分はコンバインで生脱穀をするものであるが、本作稲と天日乾燥米との場合は、食味試験で差は現れるものの大差がないため人々の嗜好レベルに適っていると考えられるものである。
【００２２】
しかしながら、再生稲の場合は、生脱穀すると食味試験はもとより人々の嗜好レベルにも適わぬものであるため、天日乾燥を行い稲の部分に含まれる養分が未熟な籾を完熟させることで食味試験での試験値の向上と人々の嗜好レベルにマッチさせるものである。
【産業上の利用可能性】
【００２３】
本願発明は、刈り取られた後の圃場に肥料分と竹炭を施すものであって、竹炭の生産や竹炭粉の工業的量産は可能であるため産業上の利用可能性を有する。
【符号の説明】
【００２４】
１  田面
２  刈り取られた稲の株
３  根
４  肥料分
５  竹炭
【図１】
2010213630.tif 000003
(57)【要約】【課題】安全帯を簡単に着脱することが可能であり、安全帯の装着時における腰への負担を軽減することも可能な工事用ベストを提供する。【解決手段】工事用ベスト１０は、腰巻部１０ａにフープ２０が設けられ、当該フープ２０を介して腰巻型安全帯３０を腰巻部１０ａに取り付けることが可能なものである。フープ２０には、マジックテープが設けられ、当該マジックテープを介して腰巻型安全帯３０の位置を上下に調整することも可能である。【選択図】図１
2010213937.tif 000002
【特許請求の範囲】
【請求項１】
工事用ベストの腰巻部にフープが設けられ、当該フープを介して腰巻型安全帯を前記腰巻部に取り付けることが可能であることを特徴とする工事用ベスト。
【請求項２】
請求項１において、
前記フープにマジックテープが設けられ、当該マジックテープを介して前記腰巻型安全帯の位置を上下に調整することが可能であることを特徴とする工事用ベスト。
【発明の詳細な説明】
【技術分野】
【０００１】
本発明は、工事用ベストに関する。
【背景技術】
【０００２】
建設現場などの工事現場では、工事用ベストが着用される。また、高所作業時においては、墜落災害を防止するために、作業床を設けるとともに、安全帯を使用することとされている（例えば、特許文献１〜３参照）。
【先行技術文献】
【特許文献】
【０００３】
【特許文献１】実願平３−７３２９４号
【特許文献２】実願２００１−６５８２号
【特許文献３】実願２００６−１８４２号
【発明の概要】
【発明が解決しようとする課題】
【０００４】
しかしながら、従来の技術にあっては、安全帯を簡単に着脱することができず、特殊高所作業以外の工事現場には不向きである。また、安全帯は、金属性フック付きの命綱がベルトに連結された構成であるため、大きな重量を有する。とりわけ、２本式の安全帯では、２本の命綱がベルトに連結されているため、よりいっそう大きな重量を有する。そして、従来の技術にあっては、安全帯の重量を腰のみで支える構造であるため、安全帯の装着によって腰への負担が大きくなってしまう。特に、工事現場では、安全帯を装着したままの状態で、作業や移動を伴うことが多いため、腰への負担がよりいっそう大きくなってしまう。
【０００５】
そこで、本発明は、安全帯を簡単に着脱することが可能であり、安全帯の装着時における腰への負担を軽減することも可能な工事用ベストを提供することを目的とする。
【課題を解決するための手段】
【０００６】
上記課題を解決するために、本発明は、工事用ベストの腰巻部にフープが設けられ、当該フープを介して腰巻型安全帯を前記腰巻部に取り付けることが可能である。
【０００７】
また、本発明においては、前記フープにマジックテープが設けられ、当該マジックテープを介して前記腰巻型安全帯の位置を上下に調整することが可能である。
【発明の効果】
【０００８】
本発明によれば、安全帯を簡単に着脱することが可能であり、安全帯の装着時における腰への負担を軽減することも可能な工事用ベストを提供することができる。
【図面の簡単な説明】
【０００９】
【図１】本発明の実施形態に係る工事用ベストを示す図である。
【図２】工事用ベストに取り付ける腰巻型安全帯を示す図である。
【発明を実施するための最良の形態】
【００１０】
以下、図１及び図２を参照しながら、本発明の実施形態について説明する。
【００１１】
図１に示すように、工事用ベスト１０は、サイズフリーのメッシュ製の工事用ベストであり、その腰巻部１０ａ及び肩掛部１０ｂには、いずれも外表面側に反射性の蛍光塗料が塗られおり、腰巻部１０ａには、３つのフープ２０が設けられている。なお、フープ２０を設ける形態は、特に限定されるものではなく、例えば、ボタンなどによって、腰巻部１０ａにフープ２０を取り外し可能に設けてもよく、或いは、腰巻部１０ａにフープ２０の一端側を縫い込んで固着させてもよい。
【００１２】
そして、工事用ベスト１０の腰巻部１０ａには、これらのフープ２０を介して、図２に示す腰巻型安全帯３０が取り付けられる。図２に示すように、腰巻型安全帯３０は、２本式の腰巻型安全帯であり、そのベルト３０ａには、２つの収納部３０ｂ、３０ｃが設けられている。これらの収納部３０ｂ、３０ｃには、それぞれ、一端側がベルト３０ａに連結され多端側に金属性フックが付いた命綱が収納されており、収納部３０ｂには、命綱を巻き取るための巻取機も収納されている。
【００１３】
ところで、図１に示した工事用ベスト１０に、図２に示した腰巻型安全帯３０を取り付けるには、まず、工事用ベスト１０に設けたフープ２０の下端側を、腰巻型安全帯３０のベルト３０ａに通し、その下端側をフープ２０の上端側に折り曲げて、これらの両端をボタンやマジックテープなどで留めるようにすればよい。フープ２０にマジックテープが設けられている場合には、そのマジックテープを介して、腰巻型安全帯３０の位置を上下自在に調整することが可能であり、このような調整によって、腰への負担を軽減することができる。一方、工事用ベスト１０から腰巻型安全帯３０を取り外す際には、フープ２０の留めを外せばよい。
【００１４】
このようにして、工事用ベスト１０にフープ２０を設けておくことにより、腰巻型安全帯３０を簡易に着脱することが可能となる。また、腰巻型安全帯３０が取り付けられた工事用ベスト１０を装着した場合には、その腰巻型安全帯３０の重量は、フック３０及び腰巻部１０ａを介して腰で支えられるとともに、肩掛部１０ｂを介して両肩でも支えられることとなるので、安全帯の重量を腰のみで支えていた場合（例えば、図２に示す腰巻型安全帯３０のみを単独で使用する場合）よりも、腰への負担を軽減することが可能となる。
【００１５】
より具体的に説明すると、本発明の実施形態に係る工事用ベスト１０を使用する場合には、従来のハーネス型の安全帯よりも着脱が簡単になる。また、工事用ベスト１０は、防寒具の上からも着用することが可能であるため、特に、冬場の工事現場においては、優れた効果を奏する。加えて、工事用ベスト１０では、安全帯の重量が上半身（両肩及び腰）全体によって支えられ、その重量の負荷が上半身に分散されるため、腰への負担が大幅に軽減されることとなる。
【００１６】
以上の説明は、本発明の実施形態の理解を容易にするためのものであり、本発明を限定するものではない。本発明は、その趣旨、目的を逸脱することなく、変更、改良され得るとともに、本発明にはその等価物が含まれることは勿論である。例えば、本発明の実施形態では、フープ２０の数を３つにしているが、本発明においてフープの数は３つに限られるものではなく、フープ２０の数を２つ、或いは、４つ以上にしてもよい。
【符号の説明】
【００１７】
１０  工事用ベスト
１０ａ  腰巻部
１０ｂ  肩掛部
２０  フープ
３０  腰巻型安全帯
３０ａ  ベルト
３０ｂ、３０ｃ  収納部
【図１】
2010213937.tif 000003
【図２】
2010213937.tif 000004
(57)【要約】【課題】車両用の主電動機の軸受構造に関し、通常の主電動機では、軸受の交換に際して、回転子と固定子とを分離する必要があるが、反駆動側軸受部と固定子との結合部の構成を変更することにより、軸受及び軸受潤滑用のグリースを交換する際に、固定子と回転子とを分離することを必要としない、メンテナンス性の向上を図った主電動機を提供する。【解決手段】車両用主電動機において、軸受蓋は固定子の機外側で、固定子枠の嵌合部と軸受箱に固定されており、かつ軸受箱と固定子枠の嵌合部は軸と平行方向であることを特徴とする車両用主電動機の軸受周りの構造により、主電動機の分解・再組立の容易化を図る。【選択図】図１
2010213380.tif 000002
【特許請求の範囲】
【請求項１】
車両用主電動機において、軸受蓋（６）は固定子（４）の機外側で、固定子枠の嵌合部（７）と軸受箱（５）に固定されており、かつ軸受箱（５）と固定子枠の嵌合部（７）は軸（９）と平行方向であることを特徴とする車両用主電動機の軸受周りの構造。
【発明の詳細な説明】
【技術分野】
【０００１】
本発明は，車両用の台車内に据え付けられている主電動機の軸受周り部品の構成に関するものである。
【背景技術】
【０００２】
主電動機の運転を続けると、主電動機の軸受及び潤滑用のグリースが劣化するため、これらの交換が必要となる。この交換の際には駆動側軸受部及び反駆動側軸受部は回転子に組込まれた状態で、固定子から分離される。
【０００３】
しかし、駆動側軸受部及び反駆動側軸受部を固定子に組込む方向は、固定子の駆動側からのみ可能であるので、軸受及び軸受潤滑用のグリースを交換する場合は回転子を固定子から分離する必要があった。
【先行技術文献】
【特許文献】
【０００４】
【特許文献１】特許第３５８５１２０号公報
【発明の概要】
【発明が解決しようとする課題】
【０００５】
発明が解決しようとする課題は、軸受及び軸受潤滑用のグリースを交換する際に、軸受部を組込んだ回転子を固定子から引抜く必要がない、主電動機の分解・再組立の容易化を図った主電動機を提供することである。
【課題を解決するための手段】
【０００６】
請求項１の発明によれば、車両用主電動機において、軸受蓋は固定子の機外側で、固定子枠の嵌合部と軸受箱に固定されており、かつ軸受箱と固定子枠の嵌合部は軸と平行方向であることを特徴とする車両用主電動機の軸受周りの構造である。
【０００７】
すなわち、本発明は、反駆動側軸受部の構造を変更し、軸受蓋を固定子の機外側で、固定子枠の嵌合部と軸受箱に固定することにより、軸受及び軸受潤滑用のグリースを交換する際に、回転子と固定子とを分離する必要をなくし、主電動機の分解・再組立を容易とすることを特徴とする。
【発明の効果】
【０００８】
本発明の固定子枠及び反駆動側軸受部の構造は、従来の一例で示す固定子枠と反駆動側軸受部との接合面が機内側であるものが機外側にあるために、反駆動側の軸受を交換する際に回転子と固定子とを分離する必要がないという点に利点がある。
【図面の簡単な説明】
【０００９】
【図１】本発明の実施例を示す説明図である。
【図２】従来の一例を示す説明図である。
【図３】本発明による反駆動側軸受部の分解手順を示す説明図である。
【発明を実施するための形態】
【００１０】
車両用の主電動機の軸受構造に関し、回転子と固定子とを分離することなく軸受交換を可能とする軸受構造を実現する。
【実施例１】
【００１１】
図１は、本発明の実施例を示す断面図であって、１は駆動側軸受部、２は反駆動側軸受部、３は回転子、４は固定子、５は軸受箱、６は軸受蓋、７は固定子枠の嵌合部、８は軸受押え、９は軸である。
【００１２】
図２は、従来の一例で示す断面図であって、反駆動側軸受部２と固定子４との結合は、固定子枠の嵌合部７の機内側から軸受箱５を組込むことにより構成されている。
【００１３】
図１において、軸受蓋６は固定子４の機外側で、固定子枠の嵌合部７と軸受箱５に固定されている。
軸受箱５と固定子枠の嵌合部７は軸９と平行方向のみである。
【産業上の利用可能性】
【００１４】
車両用の主電動機の軸受構造に関し、通常の主電動機では、軸受の交換に際しては、回転子と固定子とを分離する必要があるが、これを必要としない軸受構造を実現した。
これにより、軸受及び軸受潤滑用のグリースを交換する際に、軸受部を組込んだ回転子を固定子から引抜く必要がなく、主電動機の分解・再組立時の工程が容易となり、メンテナンス性が向上する。
【符号の説明】
【００１５】
１    駆動側軸受部
２    反駆動側軸受部
３    回転子
４    固定子
５    軸受箱
６    軸受蓋
７    固定子枠の嵌合部
８    軸受押え
９    軸
【図１】
2010213380.tif 000003
【図２】
2010213380.tif 000004
【図３】
2010213380.tif 000005
(57)【要約】  【課題】生活環境の振動による静電誘導式発電において、設置場所並びに振動の方向性により対向電極を移動及び増幅を助長させる必要がある。【解決手段】静電誘導式環境振動発電装置に、対向電極の移動する延長上の両    端に高反発素材を組み込む。【選択図】図１
2010213370.tif 000002
【特許請求の範囲】
【請求項１】
対向電極の移動する延長上の両端に高反発素材を組み込むことを特徴とす
る静電誘導式環境振動発電装置
【発明の詳細な説明】
【技術分野】
【０００１】
本発明は、静電誘導式環境振動発電装置の対向電極の移動・増幅の助長に関する。
【背景技術】
【０００２】
図２の静電誘導式発電装置は、電極基盤１と対向電極２から構成される。
図２に示す通り、物理現象である誘導電荷を振動による静電誘導式環境発電
として電力を得るためには、電極基盤１と対向電極２の間に誘導電荷を発生
させ、振動による対向電極２を移動させて電荷移動しなければならない。
【先行技術文献】
【非特許文献】
【０００３】
【非特許文献１】ＥＥＴIMＥＳ  Ｊapan   ２００９ 年１月号
【発明の概要】
【発明が解決しようとする課題】
【０００４】
以上のような振動による電荷移動させるエネルギー、特に生活（行動・行為）環境による振動は微小かつ複雑であることから、電力を得るためには次のような解決すべき課題があった。
・  環境による振動のエネルギーをより多く得るため、対向電極２の移動
を増幅させる必要がある。
・  発電装置の設置が傾斜位置時において、対向電極２を移動させる必要
がある。
・  方向性が定まらない振動時において、対向電極２の移動を増幅させる
必要がある。
・  振動が遠心力等による一方向性に加重負荷時において、対向電極２を
移動させる必要がある。  
【課題を解決するための手段】
【０００５】
本発明は以上の点を解決するため、次のような構成を採用する。
〈構成１〉
対向電極の移動する延長上の両端に高反発素材を組み込むことを特徴とする
静電誘導式環境振動発電装置とする。
【発明の効果】
【０００６】
本発明の静電誘導式環境振動発電装置には次のような効果がある。
・  発電装置の設置が水平位置時において、対向電極が高反発素材への衝突
による反発運動により移動が増幅する。
・  発電装置の設置が傾斜位置時において、対向電極が高反発素材への衝突
による反発運動により対向電極が移動する。
・  方向性が定まらない振動時において、対向電極が高反発素材への衝突に
よる反発運動により対向電極の移動が増幅する。
・  振動が遠心力等による一方向性に加重負荷時において、対向電極が高反
発素材への衝突による反発運動により対向電極が移動する。
【図面の簡単な説明】
【０００７】
【図１】発電装置の設置が水平位置時の振動による静電誘導式発電を示す。
【図２】静電誘導式振動発電装置を示す。
【図３】発電装置の設置が傾斜位置時の振動による静電誘導式発電を示す。
【図４】振動の方向性が一定でない時の静電誘導式発電装置を示す。
【発明を実施するための形態】
【実施例】
【０００８】
図１に、本発明の実施例を示す。
図の静電誘導式環境振動発電装置は、電極基盤１と対向電極２、高反発素材１１から構成される。
電極基盤１と対向電極２の間に発生させた誘導電荷を対向電極２が移動することによって電荷移動し電力を得る。
物理現象である誘導電荷を生活環境振動により安定した電力として得るためには、図３図４に示す通り発電装置の設置位置並び振動の方向性に左右されない対向電極２の移動及び増幅が必要となるため、対向電極２の移動延長上の両端にバネ等の高反発素材１１を組み込み、反発運動の特性を活かして対向電極の移動・増幅を助長させた。
【産業上の利用可能性】
【０００９】
本発明による利用は特に、人間の生活環境から発生する振動エネルギーを活
用するため、電池が不要となり小型の身廻品・ホビー用品への利用が好適で
ある。
【符号の説明】
【００１０】
１  電極基盤
２  対向電極
１１  高反発素材
【図１】
2010213370.tif 000003
【図２】
2010213370.tif 000004
【図３】
2010213370.tif 000005
【図４】
2010213370.tif 000006